(57)【要約】【課題】使用者のたった１つの操作によって容易にバッテリーパックを無線機器から取り外すことができるロック構造を有する無線機器を提供する。【解決手段】ロック構造は、バッテリーパックに形成された第一の係合部材１０と、無線機器、例えばラップトップコンピュータに設けられた第二の係合部材２０とを備えている。第一の係合部材１０は、一方の側面にホック１０１を備えている。また、第一の係合部材１０は、他方の側面に、バッテリーパックに向って下方に向う先細状の傾斜部１０２を備えている。第二の係合部材２０は、第一の係合部材２０のホック１０１と係合される部材本体２０３と、部材本体２０３の後方に設けられている圧縮ばね２０４と、第一の係合部材１０の傾斜部１０２に対応する位置に形成され、拡張部２０５から延びている後方突起部２０６とを含んでいる。
2009516904.tif 000002
【特許請求の範囲】
【請求項１】
少なくとも１つのロック構造を含む無線機器において、
ロック構造は、一方の側面に形成されたホックと、他方の側面でバッテリーパックに向って下方に向う先細構造（傾斜部）とを有し、バッテリーパックの外側表面から突き出ているバッテリーパック側の係合部材（第一の係合部材）と、
ホックと係合される係合部と、傾斜部に対応する位置に形成され、後方突起部を有する部材本体と、部材本体の後方に設けられた弾性体とを有し、無線機器のうち第一の係合部材に対応する位置に設けられた無線機器側の係合部材（第二の係合部材）と、を備え、
バッテリーパックを無線機器から取り外すために部材本体が弾性体に向って押されたとき、係合部がホックから分離し、かつ、後方突起部が第一の係合部材の傾斜部を押し、このことにより、バッテリーパックが自動的に無線機器から取り外されることを特徴とする無線機器。
【請求項２】
無線機器が、携帯電話、Ｐｅｒｓｏｎａｌ  Ｄｉｇｉｔａｌ  Ａｓｓｉｓｔａｎｔ（ＰＤＡ）、携帯ゲーム機、空間波受信機, 又はラップトップコンピュータコンピュータであることを特徴とする請求項1 に記載の無線機器。
【請求項３】
無線機器が、ラップトップコンピュータであることを特徴とする請求項２に記載の無線機器。
【請求項４】
ロック構造が、バッテリーパックと無線機器本体との間の接触領域に位置する一対のロック構造を備えることを特徴とする請求項１に記載の無線機器。
【請求項５】
弾性体は、圧縮ばねからなることを特徴とする請求項１に記載の無線機器。
【請求項６】
後方突起部は、湾曲した先端を有しており、バッテリーパックが無線機器から取り外されるとき、後方突起部の湾曲した先端が第一の係合部材の傾斜部に当接することを特徴とする請求項１に記載の無線機器。
【請求項７】
傾斜部は、３０度から６０度の角度で傾斜していることを特徴とする請求項１に記載の無線機器。
【発明の詳細な説明】
【技術分野】
【０００１】
本発明は、無線機器用バッテリーパックのロック構造に関する。とりわけ、少なくとも１つのロック構造を含む無線機器において、ロック構造が、一方の側面に形成されたホックと、他方の側面でバッテリーパックに向って下方に向う先細構造（傾斜部）とを有し、バッテリーパックの外側表面から突き出ているバッテリーパック側の係合部材（第一の係合部材）と、ホックと係合される係合部と、傾斜部に対応する位置に形成され、後方突起部を有する部材本体と、部材本体の後方に設けられた弾性体とを有し、無線機器のうち第一の係合部材に対応する位置に設けられた無線機器側の係合部材（第二の係合部材）とを備え、バッテリーパックを無線機器から取り外すために部材本体が弾性体に向って押されたとき、係合部がホックから分離し、かつ、後方突起部が第一の係合部材の傾斜部を押し、このことにより、バッテリーパックが自動的に無線機器から取り外されることを特徴とする無線機器に関する。
【０００２】
近年、充放電可能なバッテリーパックを電源として用いる無線機器が急速に発展してきた。無線機器の典型的な例は、携帯電話、Ｐｅｒｓｏｎａｌ  Ｄｉｇｉｔａｌ  Ａｓｓｉｓｔａｎｔ（ＰＤＡ）、携帯ゲーム機、空間波受信機, 又はラップトップコンピュータコンピュータなどである。バッテリーパックは、無線機器の構造や形により、様々な仕様を有している。
【０００３】
例えば、ラップトップコンピュータは、充放電可能な内蔵二次電池を有するバッテリーパックを電源として使用する。バッテリーパックは、必要に応じてラップトップコンピュータ本体から取り外すことができる。
【０００４】
図１は、前記のようなバッテリーパックを備えたラップトップコンピュータの一部分を拡大して示す図であり、図２は、ラップトップコンピュータにおけるバッテリーパックのロック構造を示す一般的な図である。
【０００５】
これらの図において、バッテリーパック１は、ラップトップコンピュータ２の後方の底面に備えられた収納部３の中に取り付けられるように構成されている。バッテリーパック１をラップトップコンピュータ２から着脱できるように、ホック４がバッテリーパック１の一方の側面から突き出ており、そして、ロック部５がラップトップコンピュータ２のうちホック４に対応する位置に設けられている。ロック部５の後方には、圧縮ばね６が設けられている。ホック４の上端は、ロック部５に向って傾斜しており、ロック部５の前端は、ホック４に向って傾斜している。このため、使用者が、ホック４がラップトップコンビュータ２の開ロ部７に挿入されるように、点線で示されている方向にバッテリーパック１を押すと、ホック４の上端がロッカー５の前端を押し、この結果、ロック部５が圧縮ばね６を押して後方へ動く。ホック４が開口部７に完全に挿入されると、ロック部５は圧縮ばね６の復元力によって前方へ動く。この結果、ロック部５はホック４と係合される。このようにして、バッテリーバック１はラップトップコンピュータ２に取り付けられる。
【０００６】
バッテリーパック１をラップトップコンピュータ２から取り外すときは、反対に、使用者はロック部５と連結されラップトップコンピュータ２の外面から露出しているスイッチ８を矢印ａで示されている方向に押す。これによって、ロック部５が圧縮ばね６に向って後方に移動し、この結果、ロック部５がホック４から分離される。この分離状態が保たれている間に、使用者は矢印ｂで示されている方向にバッテリーパック１を押し出す。このことにより、バッテリーパック１がラップトップコンピュータ２から取り外される。
【発明の開示】
【発明が解決しようとする課題】
【０００７】
使用者は、特に、バッテリーバック１をラップトップコンピュータ２から取り外す場合に、片方の手を使ってロック部５を圧縮ばね６に向って押し、そして同時に、他方の手を使ってバッテリーパック１をラップラップトップコンピュータ２の外側へ向って押し出す必要がある。一般に、バッテリーパック１とラップトップコンピュータ８が向かい合う両側には、２つのロック構造が対称に備えられている。従って、使用者は、両手の親指を使ってスイッチ８を押し、そして同時に、両手の他の指を使ってバッテリーバック１をラップトップコンピュータ２の外側へ向って押し出さなければならない。
【０００８】
上記の説明で明らかなように、従来のロック構造を使用しているラップトップコンピュータからバッテリーパックを取り外そうとする場合、ラップトップコンピュータからバッテリーパックを取り外すことは困難である。さらに、ラップトップコンピュータからバッテリーパックを取り外している間に、ラップトップコンピュータ文はバッテリーパックを下に落とす可能性もある。
【０００９】
この問題を解決するため、多くの手段が提案されてきた。例えば、バッテリーバックに形成された溝と、電子機器に設けられた棒状体とを備え、電子機器本体の一側で棒状体が自由に回動できるようにするためのツイストばねを有するロック構造が開示されている（特許文献１）。バッテリーパックの溝に対応する棒状体は、ばねの回転方向において回動され、これによって、バッテリーパックが電子機器から取り外される。しかしながら、このロック構造には、バッテリーパックを電子機器から取り外しできるようにロック構造を回動させる上で、大きな空間が必要になるという課題がある。また、回動操作と取り外し操作は別々に行われる。
【特許文献１】特開２００５−７９０１９
【００１０】
従って、バッテリーパックをラップトップコンピュータを含む一般的な無線機器へ取り付ける作用と、バッテリーパックを無線機器から取り外す作用とに関連して生じる、上述の課題を解決することができる根本的な技術が強く求められている。
【００１１】
それゆえに、本発明は、上記の課題およびその他の未解決の技術的課題を解決するためになされたものである。
【００１２】
とりわけ、使用者のたった１つの操作によって容易にバッテリーパックを無線機器から取り外すことができるロック構造を有する無線機器を提供することを目的とする。
【課題を解決するための手段】
【００１３】
本発明によれば、上記の課題およびその他の課題を、少なくとも１つのロック構造を含む無線機器において、ロック構造が、一方の側面に形成されたホックと、他方の側面でバッテリーパックに向って下方に向う先細構造（傾斜部）とを有し、バッテリーパックの外側表面から突き出ているバッテリーパック側の係合部材（第一の係合部材）と、ホックと係合される係合部と、傾斜部に対応する位置に形成され、後方突起部を有する部材本体と、部材本体の後方に設けられた弾性体とを有し、無線機器のうち第一の係合部材に対応する位置に設けられた無線機器側の係合部材（第二の係合部材）とを備え、バッテリーパックを無線機器から取り外すために部材本体が弾性体に向って押されたとき、係合部がホックから分離し、かつ、後方突起部が第一の係合部材の傾斜部を押し、このことにより、バッテリーパックが自動的に無線機器から取り外されることを特徴とする無線機器により解決することができる。
【００１４】
本発明の無線機器は、携帯電話、Ｐｅｒｓｏｎａｌ  Ｄｉｇｉｔａｌ  Ａｓｓｉｓｔａｎｔ（ＰＤＡ） 、携帯ゲーム機、空間波受信機、ラップトップコンピュータなどを含む概念である。好ましくは、無線機器はラップトップコンピュータである。
【００１５】
好ましくは、ロック構造は、バッテリーパックと無線機器本体との間の接触領域に位置する一対のロック構造を備えている。この場合、ロック構造に含まれる各々の第二の係合部材の部材本体を、無線機器からバッテリーパックを取り外すために弾性体に向かって動かすとき、各第二の係合部材の部材本体は、それぞれお互いに向かって動くことになる。ロック構造は、例えば、右側の部材本体が対応する弾性体に向って左方向へ動き、左側の部材本体が対応する弾性体に向って右方向へ動くように構成される。
【００１６】
好ましい形態としては、第二の係合部材の部材本体は、使用者が左右に第二の係合部材を動かすときに使用者の指が滑らないようにするために、部材本体に形成された多数の溝と、部材本体のうち弾性体が設けられている側と反対側の下端から延びている拡張部と、拡張部の端から上方に鉛直に延びている突起部と、を含む。とりわけ、第二の係合部材は、部材本体と突起部が水平に延びる拡張部に対してそれぞれ反対側に鉛直に配置されるように形成されている。このため、左面、右面、そして下面で囲まれた空間が形成される。第一の係合部材はこの空間の中に入れられる。
【００１７】
係合部は、第二の係合部材の部材本体のうち拡張部が形成されている一定の部分の上端から突き出る構造となっている。係合部はあごの形に形成されており、このため、ホックが第二の係合部材の空間に挿入されたとき、ホックが係合部と係合する。
【００１８】
また、係合部は、その前縁が第一の係合部材のホックに向って下方に向う先細状に構成されている。従って、第一の係合部材が第二の係合部材と係合される場合、係合部は、上方に向う先細状のホックとともに、弾性体を押す。すなわち、第二の係合部材と係合するために第一の係合部材が下方へ移動する場合、ホックの傾斜した表面(傾斜面)と係合部は、係合動作中にお互いスライドする。このことにより、小さな力でも、第二の係合部材を弾性体に向って（後方へ）動かすことができる。
【００１９】
好ましくは、弾性体は、第二の係合部材の左右の動きを制御する圧縮ばねからなる。すなわち、圧縮ばねは第二の係合部材を第一の係合部材のホックに向って弾力的に押し、このことにより、バッテリーパックの無線機器への係合が完了する。
【００２０】
好ましくは、後方の突起部は、湾曲した先端を有している。湾曲した先端は、バッテリーバックが無線機器から取り外されるときに、第一の係合部材の傾斜部と当接する。後方の突起部が湾曲した先端を有するのは、傾斜部がもたらす第一の係合部材のスライド効果を最大にするためであり、また、第一の係合部材が後方突起部と当接するときに傾斜部へ与える損傷を最小にするためである。
【００２１】
好ましくは、第一の係合部材の傾斜部が、第一の係合部材の係合方向と平行な平面となす角度は、３０度から６０度である。それによって、第一の係合部材のスライド効果がさらに改善され、このため、小さな力が第二の係合部材に印加されただけでも、バッテリーパックが無線機器から取り外される。
【発明の効果】
【００２２】
本発明によれば、無線機器にバッテリーパックを取り付ける作用を、図２に示す原理と同じ原理に基づいて、容易に実施することができる。さらに、無線機器からバッテリーバックを取り外す作用を、第二の係合部材の部材本体を弾性体に向って押すという１つの操作だけで、容易に行うことができる。
【発明を実施するための形態】
【００２３】
本発明における、上述の、またはその他の課題、特徴、その他の利点は、以下の詳細な説明および図を参照してより明白になる。
【００２４】
以下、図面を参照して、本発明における好ましい形態を説明する。しかしながら、本発明の範囲は以下で説明する形態には限られない。
【００２５】
図３は、本発明の好ましい形態におけるバッテリーパックのロック構造を示す典型的な図である。
【００２６】
図３に示すように、ロック構造は、図２に示したロック構造と同様に、バッテリーパック（図示せず）に形成された第一の係合部材１０と、無線機器、例えばラップトップコンピュータ（図示せず）に設けられた第二の係合部材２０とを備えている。
【００２７】
第一の係合部材１０は、一方の側面にホック１０１を備えている。また、第一の係合部材１０は、他方の側面に、バッテリーパックに向って下方に向う先細状の傾斜部１０２を備えている。第二の係合部材２０は、第一の係合部材２０のホック１０１と係合される部材本体２０３と、部材本体２０３の後方に設けられている圧縮ばね２０４と、第一の係合部材１０の傾斜部１０２に対応する位置に形成され、拡張部２０５から延びている後方突起部２０６とを含んでいる。
【００２８】
第２の係合部材２０の部材本体２０３には、使用者が第二の係合部材２０を左右に動かすときに指がすべるのを防ぐための複数の溝２５３が形成されている。
【００２９】
拡張部２０５は、部材本体２０３の下端に沿って形成されており、また、圧縮ばね２０４も部材本体２０３に設けられている。圧縮ばね２０４が設けられている側とは反対の側においては、後方突起部２０６が拡張部２０５の端から上方に鉛直に延びている。従って、部材本体２０３と後方突起部２０６は、拡張部２０５を挟んで対向して鉛直に配置されており、この結果、第一の係合部材を受け入れるための収容部２１０が形成される。
【００３０】
部材本体２０３の一端から突き出ている係合部２０７は、第一の係合部材１０のホック１０１と係合される。従って、第一の係合部材１０のホック１０１が収容部２１０に挿入されると、係合部２０７は第一の係合部材１０のホック１０１と係合される。
【００３１】
係合部２０７とホック１０１との間の係合は、圧縮ばね２０４が部材本体２０３の後端２２３を押すことで安定に保たれる。
【００３２】
図４は、図３に示されたロック構造を用いた、無線機器の一例であるラップトップコンピュータから、バッテリーパックを取り外す状態を示す典型的な図である。
【００３３】
図４に示すように、第二の係合部材２０の部材本体２０３が圧縮ばね２０４に向って押されるとき、係合部２０７はホック１０１から分離し、加えて、後方突起部２０６が第一の係合部材１０の傾斜部１０２を押す。このことにより、バッテリーパック（図示せず）は自動的にラップトップコンピュータから取り外される。
【００３４】
後方突起部２０６の先端２３６は湾曲した形に形成され、これによって、後方突起部２０６の先端２３６が第一の係合部材１０の傾斜部１０２と接触するとき、傾斜部１０２のスライド効果を最大にし、かつ、そのとき傾斜部１０２が受ける損傷を最小にすることができる。
【００３５】
傾斜部１０２の角度２０８が３０度から６０度の場合に、傾斜部１０２のスライド効果はより改善され、その上さらに、第二の係合部材２０を、小さな力でも容易に動かすことができるようになる。従って、バッテリーパックをラップトップコンピュータから容易に取り外すことができる。さらに好ましくは、傾斜部１０２の角度２０８は４５度である。
【００３６】
ホック１０１の傾斜面１１１は、係合部２０７に向って上方に向う先細状になっている。係合部２０７の傾斜面２４７は、ホック１０１に向って下方に向う先細状になっている。バッテリーパックがラップトップコンピュータに取付けられる場合、すなわち、第一の係合部材１０が、第二の係合部材２０と係合するように下方に動かされる場合、傾斜面１１１と傾斜面２４７は、係合動作中にお互いスライドする。このことにより、圧縮ばね２０４を容易に押すことができ、従って、小さな力でも、第二の係合部材を動かすことができる。
【００３７】
説明のため、本発明の好ましい形態をここに示したが、請求の範囲に開示された発明の範囲および思想から逸脱することなく、様々な変更、付加、置換が可能であることは当業者にとって自明である。
【産業上利用性】
【００３８】
上述の説明で明らかなように、本発明による無線機器で用いるバッテリーパックのロック構造は、無線機器、例えばラップトップコンピュータから、バッテリーパックを容易に、使用者のたった１つの操作によって取り外すことができるという効果を有している。
【図面の簡単な説明】
【００３９】
【図１】図１は、バッテリーパックを備えた従来のラップトップコンピュータの一部分を拡大して示す図である。
【図２】図２は、図１に示されたラップトップコンピュータにおけるバッテリーパックのロック構造を示す一般的な図である。
【図３】図３は、本発明の好ましい形態におけるバッテリーパックのロック構造を示す典型的な図である。
【図４】図４は、図３に示されたロック構造を用いたラップトップコンピュータから、バッテリーパックを取り外す状態を示す典型的な図である。
【符号の説明】
【００４０】
１０    第一の係合部材
２０    第二の係合部材
１０１  ホック
１０２  傾斜部
２０４  弾性体
２０６  後方突起部
２０７  係合部
【図１】
2009516904.tif 000003
【図２】
2009516904.tif 000004
【図３】
2009516904.tif 000005
【図４】
2009516904.tif 000006
【国際調査報告】
2009516904.tif 000007
2009516904.tif 000008